(57)【要約】 【課題】省エネルギーとなる運転曲線を容易に作成することができる運転曲線作成装置を提供する。【解決手段】本実施形態による運転曲線作成装置は、入力部と、抽出部と、運転曲線作成部とを備える。入力部は、或る区間を列車が走行したときに得られる該列車の走行時間、ノッチの履歴および消費エネルギーをパラメータとして少なくとも含む複数の走行実績データを入力し、並びに、パラメータの制限情報を受け取る。抽出部は、制限情報に従ってパラメータに制限を加えることによって、該複数の走行実績データの中から一部の複数の走行実績データを抽出データとして抽出する。運転曲線作成部は、消費エネルギーに基づいて抽出データから選択された走行実績データを用いて推奨運転曲線を作成する。【選択図】図１
2018144592.tif 000002
【特許請求の範囲】
【請求項１】
或る区間を列車が走行したときに得られる該列車の走行時間、ノッチの履歴および消費エネルギーをパラメータとして少なくとも含む複数の走行実績データ、および、前記パラメータの制限情報を受け取る入力部と、
前記制限情報に従って前記パラメータに制限を加えることによって、該複数の走行実績データの中から一部の複数の走行実績データを抽出データとして抽出する抽出部と、
前記消費エネルギーに基づいて前記抽出データから選択された前記走行実績データを用いて推奨運転曲線を作成する運転曲線作成部とを備えた、運転曲線作成装置。
【請求項２】
前記抽出データの中から、前記消費エネルギーにおいて最小の走行実績データを選択する選択部をさらに備えた、請求項１に記載の運転曲線作成装置。
【請求項３】
前記抽出データを前記消費エネルギーに関連付けて表示する表示部と、
ユーザが前記抽出データから任意の走行実績データを選択可能なユーザインタフェースとをさらに備えた、請求項１に記載の運転曲線作成装置。
【請求項４】
前記消費エネルギーは、前記走行時間を所定時間にした場合に換算される換算消費エネルギーである、請求項１から請求項３のいずれか一項に記載の運転曲線作成装置。
【請求項５】
前記制限情報は、前記走行時間が所定の範囲内であること、前記列車の最高速度が所定値以下であること、前記消費エネルギーが所定値以下であること、特定の時刻帯または特定の列車番号であること、あるいは、前記列車の運転手が特定の運転手であることである、請求項１から請求項４のいずれか一項に記載の運転曲線作成装置。
【請求項６】
或る区間を列車が走行したときに得られる該列車の走行時間、ノッチの履歴および消費エネルギーをパラメータとして少なくとも含む複数の走行実績データを受け取る入力部と、
前記区間の複数の地点または前記走行時間の複数の時点における前記パラメータの分散を算出し、該分散が第１所定値以下となる前記地点または前記時点を特徴点とし、該特徴点における前記パラメータの値に基づいて走行実績データを抽出データとして抽出する抽出部と、
前記消費エネルギーに基づいて前記抽出データから選択された前記走行実績データを用いて推奨運転曲線を作成する運転曲線作成部とを備えた、運転曲線作成装置。
【請求項７】
前記抽出部は、前記複数の走行実績データのうち前記消費エネルギーが第２所定値以下の走行実績データを用いて前記パラメータの分散を算出し、あるいは、前記複数の走行実績データのうち特定の時刻帯または特定の列車の走行実績データを用いて前記パラメータの分散を算出し、あるいは、前記走行時間が第３所定値以下の走行実績データを用いて前記パラメータの分散を算出し、あるいは、前記列車の運転手の識別情報に基づいて特定の識別情報に対応する前記走行実績データの分散を算出する、請求項６に記載の運転曲線作成装置。
【請求項８】
前記抽出部は、前記列車の速度、前記ノッチの番号、或る時点での前記列車の位置のいずれかのパラメータの分散を算出する、請求項６に記載の運転曲線作成装置。
【請求項９】
前記消費エネルギーに基づいて前記抽出データから前記走行実績データを選択する選択部をさらに備え、
前記選択部は、前記抽出データから前記消費エネルギーにおいて最小の走行実績データを選択する、請求項６に記載の運転曲線作成装置。
【請求項１０】
前記選択部は、前記抽出データのうち第１走行実績データの前記特徴点より前のデータ部分と第２走行実績データの前記特徴点より後のデータ部分とを結合して１つの補正走行実績データを生成し、
前記運転曲線作成部は、前記補正走行実績データを用いて推奨運転曲線を作成する、請求項９に記載の運転曲線作成装置。
【発明の詳細な説明】
【技術分野】
【０００１】
本発明による実施形態は、運転曲線作成装置に関する。
【背景技術】
【０００２】
近年、エネルギー効率の良い輸送機関である鉄道に対しても更なる省エネルギー（以下、省エネ）が求められている。車体の軽量化、モータおよびインバータの効率化、あるいは、空調や照明等の設備の省エネ化は、省エネ効果が大きいが、車体や設備の更新が必要になり、コスト高となる。
【０００３】
一方、列車の走行の仕方やダイヤを変更することにより、省エネを実現する技術開発が進められている。省エネとなる列車走行制御に関し、運転曲線の作成手法が開発されている。
【０００４】
しかし、エネルギー消費量の削減を考慮した運転曲線を精密に作成するには長時間かかる。
【先行技術文献】
【特許文献】
【０００５】
【特許文献１】特開２０１５−２０６３７号公報（ＷＯ２０１５／００８３１８）
【発明の概要】
【発明が解決しようとする課題】
【０００６】
省エネルギーとなる運転曲線を容易に作成することができる運転曲線作成装置を提供する。
【課題を解決するための手段】
【０００７】
本実施形態による運転曲線作成装置は、入力部と、抽出部と、運転曲線作成部とを備える。入力部は、或る区間を列車が走行したときに得られる該列車の走行時間、ノッチの履歴および消費エネルギーをパラメータとして少なくとも含む複数の走行実績データ、および、パラメータの制限情報を受け取る。抽出部は、制限情報に従ってパラメータに制限を加えることによって、該複数の走行実績データの中から一部の複数の走行実績データを抽出データとして抽出する。運転曲線作成部は、消費エネルギーに基づいて抽出データから選択された走行実績データを用いて推奨運転曲線を作成する。
【図面の簡単な説明】
【０００８】
【図１】第１実施形態による運転曲線作成装置の概要構成ブロック図。
【図２】運転曲線作成装置をパーソナルコンピュータで構成した場合の概要構成ブロック図。
【図３】走行実績データの一例を示す表。
【図４】第１実施形態による運転曲線作成装置の動作の一例を示すフロー図。
【図５】走行実績データの各種パラメータを示すグラフ。
【図６】第１駅から第２駅までの区間における推奨運転曲線を示すグラフ。
【図７】換算消費エネルギーの作成方法の一例を示すグラフ。
【図８】第２実施形態による抽出データの抽出方法の一例を示すグラフ。
【図９】サンプリング時の列車の位置がずれている場合を示すグラフ。
【図１０】第２実施形態による運転曲線作成装置の動作の一例を示すフロー図。
【図１１】変形例３による抽出データの抽出方法の一例を示すグラフ。
【図１２】第３実施形態による抽出データの抽出方法の一例を示すグラフ。
【図１３】第３実施形態による運転曲線作成装置の動作の一例を示すフロー図。
【図１４】変形例４による抽出データの抽出方法の一例を示すグラフ。
【図１５】第４実施形態による抽出データの抽出方法の一例を示すグラフ。
【発明を実施するための形態】
【０００９】
以下、図面を参照して本発明に係る実施形態を説明する。本実施形態は、本発明を限定するものではない。
【００１０】
（第１実施形態）
図１は、第１実施形態による運転曲線作成装置の概要構成ブロック図である。本実施形態による運転曲線作成装置１０は、入力部２０と、抽出部３０と、選択部４０と、推奨運転曲線作成部５０と、表示部６０と、記憶部７０とを備えている。
【００１１】
入力部２０は、複数の走行実績データおよび制限情報を入力する。入力部２０は、例えば、複数の走行実績データおよび制限情報を格納するストレージと通信接続されたインタフェースでよい。ストレージは、運転曲線作成装置１０の内部または外部のいずれに設けられ、例えば、ＨＤＤ（Hard Disk Drive）、ＳＳＤ(Solid State Dive)等でよい。走行実績データは、或る区間を列車が走行したときに得られるパラメータの実績値（履歴）であり、所謂、ＫＰＩ（Key Performance Indicator）である。走行実績データのパラメータは、例えば、列車を特定する列車番号、各走行を特定する走行識別情報、その区間を列車が走行したときの走行時間、走行時に周期的にサンプリングした列車の速度、該列車の運転手が使用したノッチの履歴、列車の消費エネルギー等である。走行実績データは、上記区間を列車が走行する度に各パラメータについて測定され、それらのパラメータの実測値として上記ストレージに格納される。走行実績データは、図３を参照して後で詳細に説明する。
【００１２】
パラメータの制限情報は、多数の走行実績データから一部の走行実績データを抽出するために用いられるパラメータの条件を示す情報である。例えば、制限情報は、走行時間が所定時間の±５秒の範囲内であること、最高速度が所定値以下であること、消費エネルギーが所定値以下であること、列車の走行時刻が１日の中で特定の時刻帯であること、列車が特定の列車番号に該当すること、あるいは、列車の運転手が特定の運転手であること等の条件を示す。制限情報は、ユーザが作成して上記ストレージに登録すればよい。
【００１３】
走行時間を所定時間の範囲内にすることによって、大きく遅延したときの走行実績データおよび大きく早着した走行実績データを排除することができる。最高速度を制限することによって、危険な運転に基づく走行実績データや消費エネルギーの大きな走行実績データを排除することができる。消費エネルギーを制限することによって、消費エネルギーの大きな走行実績データを排除（足切り）することができる。尚、後述するように、選択部４０による推奨走行実績データの選択時に消費エネルギーが考慮されるが、制限情報に消費エネルギーの制限を付加することによって消費エネルギーの大きな走行実績データを予め足切りすることができる。列車の走行時刻を１日の中で特定の時刻帯に制限することによって、ラッシュアワーの走行実績データを抽出したり、逆に閑散時刻帯の走行実績データを抽出することができる。列車番号を特定の列車番号に制限することで、各列車の固有の特性に対応した走行実績データを抽出することができる。運転手を特定の運転手に制限することで、ベテランの運転手による走行実績データを抽出することができる。
【００１４】
抽出部３０は、制限情報に従って走行実績データのパラメータに制限を加える。これにより、抽出部３０は、複数の走行実績データの中から一部の走行実績データを抽出データとして抽出する。例えば、走行時間が所定時間の±５秒以内であることという制限情報がある場合、抽出部３０は、走行時間が所定時間の±５秒以内である走行実績データを抽出データとして抽出し、走行時間が所定時間から５秒以上早着したあるいは遅延した走行実績データを抽出しない。抽出されなかった走行実績データは、推奨運転曲線を作成する際に用いられない。抽出データは、選択部４０へ送られる。制限情報に従って走行実績データのパラメータに制限を加えることによって、異常な運転や危険な運転等に基づく異常かつ特殊な走行実績データが排除され、適切かつ妥当な走行実績データが抽出データとして抽出される。
【００１５】
選択部４０は、抽出部３０で抽出された抽出データの中から、消費エネルギーの観点に基づいて特定の走行実績データを選択する。例えば、選択部４０は、抽出データの中から消費エネルギーにおいて最小の走行実績データを選択する。この選択された走行実績データは、推奨運転曲線を作成するために用いられる。走行実績データは、パラメータとして消費エネルギーの測定値のデータを有する。従って、選択部４０は、抽出データの中から、消費エネルギーが最小である走行実績データを自動で選択することができる。このように選択された走行実績データは、制限情報の制限に適合し、かつ、消費エネルギーにおいても小さく好ましい走行実績データである。従って、以下、選択部４０で選択された走行実績データを“推奨走行実績データ”と呼ぶ。尚、選択部４０は、消費エネルギーの小さい走行実績データを複数選択し、その走行実績データの平均値を推奨走行実績データとしてもよい。
【００１６】
推奨運転曲線作成部５０は、抽出データから選択された推奨走行実績データを用いて推奨運転曲線を作成する。運転曲線は、或る駅から次の駅までの区間における列車の速度やノッチを示す曲線である。推奨運転曲線は、推奨走行実績データを用いて作成された運転曲線である。推奨走行実績データは、列車が実際に走行したときに測定された各種パラメータの実績を示している。従って、推奨運転曲線は、実際の運転に適合した運転曲線であり、かつ、消費エネルギーにおいても小さい運転曲線となる。運転手は、推奨運転曲線の速度やノッチに従って列車を操作することによって、低消費エネルギーでかつほぼ計画ダイヤ通りに列車を走行させることができる。
【００１７】
表示部６０は、推奨運転曲線作成部５０で作成された推奨運転曲線を表示する。表示部６０は、入力された全ての走行実績データ、抽出データ、推奨走行実績データ、あるいは、制限情報を表示してもよい。
【００１８】
記憶部７０は、推奨運転曲線作成部５０で作成された推奨運転曲線を格納する。記憶部７０は、例えば、ＨＤＤ、ＳＳＤ等でよい。記憶部７０は、走行実績データおよび／または制限情報を格納してもよい。
【００１９】
本実施形態では、運転曲線作成を汎用的なパーソナルコンピュータ等で行うことを想定している。
【００２０】
図２は、運転曲線作成装置をパーソナルコンピュータで構成した場合の概要構成ブロック図である。
【００２１】
運転曲線作成装置１０は、図２に示すように、運転曲線作成装置全体を制御するマイクロコンピュータとして構成される。ＭＰＵ２１は、抽出部３０、選択部４０および推奨運転曲線作成部５０として機能する。ＲＯＭ２２は、制御プログラムを含む各種データを不揮発的に記憶するために用いられる。ＲＡＭ２３は、ＭＰＵ２１のワーキングエリアとして用いられ、各種データを一時的に記憶するために用いられる。記憶装置２４は、走行実績データ、制限情報等の入力データを記憶するデータベース、並びに、推奨運転曲線作成部５０で作成された運転曲線を記憶する記憶部７０として機能する。キーボード２７は、ユーザインタフェースとして用いられ、ユーザが制限情報等の各種情報を入力可能する。ディスプレイ２８は、表示部６０として機能する。ディスプレイ２８をタッチパネル式ディスプレイとすれば、ディスプレイ２８が表示部６０およびユーザインタフェースとして機能するため、キーボード２７は設けなくてもよい。通信インタフェースは、インターネット、ＬＡＮなどの通信ネットワークを介して通信接続されている。走行実績データおよび制限情報は、記憶装置２４に代えて、通信インタフェースを介して外部から入力してもよい。
【００２２】
図３は、走行実績データの一例を示す表である。走行実績データは、列車が上記区間を走行するごとに測定される。走行実績データは、駅間ごとにかつ走行ごとに区切られている。例えば、本実施形態による走行実績データは、ＣＳＶ（Comma Separated Value）形式で記述されている。これにより、走行実績データの読み込み等が簡単になる。
【００２３】
例えば、図３では、第１駅と第２駅との駅間の１０個の走行実績データが示されている。走行識別情報としての走行ＩＤ（ｒｕｎｃｕｒｖｅ０〜ｒｕｎｃｕｒｖｅ９）は、１０回の走行のそれぞれの走行実績データの識別情報となる。図３では、各走行実績データに対応して、各パラメータが横並びに表示されている。
【００２４】
例えば、日付は、走行の日にちである。運転手ＩＤは、各走行において列車を操作した運転手の識別情報である。列車番号は、各走行に用いられた列車の識別情報である。走行時間は、その区間の走行に要した時間である。最高速度は、その区間を走行したときの列車の最高速度である。ノッチオフ時点は、列車が駅を出発してから最初に惰行運転に切り替えるまでの時間である。力行時間は、力行状態のノッチ（力行ノッチ）を使用していたトータルの時間である。例えば、力行時間は、力行ノッチのサンプリング回数とサンプリング周期との乗算から求めることができる。惰行時間は、惰行状態のノッチ（ノッチオフ）を使用していたトータルの時間である。例えば、惰行時間は、ノッチオフのサンプリング回数とサンプリング周期との乗算から求めることができる。減速時間は、減速状態のノッチ（減速ノッチ）を使用していたトータルの時間である。例えば、減速時間は、減速ノッチのサンプリング回数とサンプリング周期との乗算から求めることができる。速度は、或る周期でサンプリングされた列車の速度である。速度の数値は、サンプリング数と同数列挙されている。速度の数値は、サンプリング数と同数列挙されている。位置は、速度およびノッチ番号をサンプリングしたときの列車の位置である。ノッチ履歴は、その区間を走行したときに運転手が使用したノッチの番号の履歴である。ノッチは、列車の速度を制御する刻み（段）であり、運転手がノッチの番号を切り替えることによって、列車を加速状態にしたり、惰行状態にしたり、あるいは、減速状態にすることができる。ノッチ履歴は、速度と同様に、或る周期でサンプリングされたノッチの番号であってもよく、あるいは、ノッチの切替え時にサンプリングされた切替え前または後のノッチの番号であってもよい。累積力行エネルギーは、力行状態において列車が消費したトータルの電力である。累積回生エネルギーは、惰行状態あるいは減速状態において列車で回生されたトータルの電力である。尚、累積力行エネルギーは正値として表され、累積回生エネルギーは負値として表されている。消費エネルギーは、累積力行エネルギーから累積回生エネルギーの絶対値を差し引いた値である。従って、消費エネルギーは、その区間の走行によって列車が実質的に消費する電力を示す。この消費エネルギーの値が小さい走行ほど、省エネ走行であると言うことができる。
【００２５】
次に、運転曲線作成装置１０の動作を説明する。
【００２６】
図４は、第１実施形態による運転曲線作成装置の動作の一例を示すフロー図である。前提として、実際の走行において得られた多数の走行実績データ（ＫＰＩ）が運転曲線作成装置１０の内部または外部にあるデータベースに格納されている。また、ユーザによって作成された制限情報もそのデータベースあるいは別のストレージに格納されている。
【００２７】
まず、入力部２０は、走行実績データおよび制限情報を受け取る（Ｓ１０）。入力部２０は、走行実績データおよび制限情報を外部から受け取ってもよく、記憶部７０から受け取ってもよい。走行実績データおよび制限情報は抽出部３０へ転送される。走行実績データは、例えば、第１駅から第２駅までの同一区間の走行実績データである。走行実績データの数は特に限定しないが、例えば、１０万としてもよい。
【００２８】
次に、抽出部３０は、制限情報に従って走行実績データのパラメータに制限を加え、多数の走行実績データの中から一部の走行実績データを抽出データとして抽出する（Ｓ２０）。例えば、計画ダイヤ上において第１駅から第２駅までの走行時間が１２０秒であるとし、制限情報が、走行時間に関して１２０秒±５秒以内という制限（条件）であるとする。この場合、抽出部３０は、走行時間が１２０秒±５秒の範囲内にある走行実績データを抽出データとして抽出する。一方、抽出部３０は、走行時間が１１５秒未満の走行実績データおよび１２５秒を超える走行実績データを除外する。図３では、抽出データは、ｒｕｎｃｕｒｖｅ０〜ｒｕｎｃｕｒｖｅ６、ｒｕｎｃｕｒｖｅ９となる。このように抽出された抽出データは、選択部４０へ送られる。
【００２９】
制限情報は、他のパラメータの条件でもよい。例えば、図５（Ａ）〜図５（Ｄ）は、走行実績データの各種パラメータを示すグラフである。このグラフの各点がそれぞれ走行実績データを示している。図５（Ａ）〜図５（Ｄ）のグラフの縦軸は消費エネルギーを示す。図５（Ａ）〜図５（Ｄ）のグラフの横軸は、それぞれ最高速度、ノッチオフ時間、力行時間、惰行時間である。
【００３０】
例えば、図５（Ａ）を参照して分かるように、最高速度が８０ｋｍ／ｈを超える走行実績データでは、消費エネルギーが高くなる。従って、ユーザは、「最高速度は８０ｋｍ／ｈ以下であること」を制限情報として登録してよい。この場合、図５（Ａ）の破線Ｌａよりも左側の集合Ｍａ１が抽出データとなる。破線Ｌａよりも右側の集合Ｍａ２は、抽出されないデータとなる。
【００３１】
例えば、図５（Ｂ）を参照して分かるように、ノッチオフ時間が１５秒を超える走行実績データでは、消費エネルギーが高くなる。従って、ユーザは、「ノッチオフ時間が１５秒以下であること」を制限情報として登録してよい。この場合、図５（Ｂ）の破線Ｌｂよりも左側の集合Ｍｂ１が抽出データとなる。破線Ｌｂよりも右側の集合Ｍｂ２は、抽出されないデータとなる。
【００３２】
例えば、図５（Ｃ）を参照して分かるように、力行時間が７０秒を超える走行実績データでは、消費エネルギーが高くなる。従って、ユーザは、「力行時間が７０秒以下であること」を制限情報として登録してよい。この場合、図５（Ｃ）の破線Ｌｃよりも左側の集合Ｍｃ１が抽出データとなる。破線Ｌｃよりも右側の集合Ｍｃ２は、抽出されないデータとなる。
【００３３】
例えば、図５（Ｄ）を参照して分かるように、惰行時間が４０秒を下回る走行実績データでは、消費エネルギーが高くなる。従って、ユーザは、「惰行時間が４０秒以上であること」を制限情報として登録してよい。この場合、図５（Ｄ）の破線Ｌｄよりも右側の集合Ｍｄ１が抽出データとなる。破線Ｌｄよりも左側の集合Ｍｄ２は、抽出されないデータとなる。
【００３４】
例えば、ユーザは、「消費エネルギーは２ｋＷｈ以下であること」を制限情報として登録してよい。この場合、図５（Ａ）〜図５（Ｄ）において、消費エネルギーが２ｋＷｈ以下の集合が抽出データとなり、２ｋＷｈを超える集合は抽出されない。
【００３５】
これらの制限情報は、それぞれ単独で用いられてもよく、複数組み合わせて用いられてもよい。これにより、多数の走行実績データから適切でない走行実績データを除去し、推奨運転曲線を作成するために適切な走行実績データを抽出データとして抽出することができる。
【００３６】
表示部６０は、図５（Ａ）〜図５（Ｄ）に示すグラフを表示してよい。このとき、表示部６０は、制限情報を付加する前後のグラフを表示してもよい。これにより、ユーザは、制限情報が適切であるか否かを判断することができる。尚、制限情報が適切で無いとユーザが判断する場合には、制限情報を修正した上で、ステップＳ１０およびＳ２０を再度繰り返せばよい。
【００３７】
次に、選択部４０は、抽出データの中から、消費エネルギーの観点に基づいて推奨走行実績データを選択する（Ｓ３０）。例えば、選択部４０は、図３の抽出データ（ｒｕｎｃｕｒｖｅ０〜ｒｕｎｃｕｒｖｅ６、ｒｕｎｃｕｒｖｅ９・・・）の中から消費エネルギーにおいて最小の走行実績データを選択する。即ち、選択部４０は、図５（Ａ）において、抽出データＭａ１の中から、消費エネルギーの最小の走行実績データＰを選択する。この選択された走行実績データＰは、推奨走行実績データとして推奨運転曲線を作成するために用いられる。
【００３８】
表示部６０は、図５（Ａ）〜図５（Ｄ）に示すグラフにおいて推奨走行実績データを表示してよい。このとき、表示部６０は、全ての走行実績データまたは抽出データの中における推奨走行実績データの位置が分かるように表示する。これにより、ユーザは、推奨走行実績データが推奨運転曲線を作成するのに適切であるか否かを判断することができる。尚、推奨走行実績データが適切で無いとユーザが判断する場合には、制限情報を修正した上で、ステップＳ１０〜Ｓ３０を再度繰り返せばよい。
【００３９】
次に、推奨運転曲線作成部５０が、推奨走行実績データを用いて推奨運転曲線を作成する（Ｓ４０）。図６は、第１駅から第２駅までの区間における推奨運転曲線を示すグラフである。縦軸は、列車の速度を示す。横軸は、上記区間における列車の位置（第１駅からの走行距離）を示す。例えば、図５（Ａ）〜図５（Ｄ）に示すグラフにおいて、ユーザが、キーボード２７またはタッチパネルディスプレイ２８等を用いて推奨走行実績データを選択すると、図６に示す推奨運転曲線が表示される。
【００４０】
推奨走行実績データの速度は周期的にサンプリングされるので、その速度が測定された位置は、サンプリング周期と速度との乗算を累積することによって算出することができる。例えば、サンプリング周期が０．５秒であり、列車の秒速がｘ（ｍ／ｓ）である場合、列車は、或るサンプリングから次のサンプリングまで０．５×ｘ（ｍ）だけ進む。このようなサンプリングごとに進む距離を第１駅から累積すれば、列車の位置（第１駅からの走行距離）が算出され得る。これにより、推奨運転曲線は、推奨走行実績データから得ることができる。尚、ここでは、或るサンプリングから次のサンプリングまでは、列車は一定速度で移動するものとしている。従って、サンプリング周期が短いほど、列車の位置は正確に算出され得る。
【００４１】
次に、推奨運転曲線は表示部６０に表示されるとともに、記憶部７０に格納される（Ｓ５０）。この推奨運転曲線は、運転手が第１駅から第２駅間を走行する際に列車内の運転支援装置に表示させ、実際の運転時に参照される。
【００４２】
本実施形態において、推奨運転曲線は、列車の位置に対する列車の速度で表現されている。しかし、推奨運転曲線は、列車の位置に対するノッチ番号で表現されていてもよい。この場合、運転手は推奨運転曲線を参照してより容易に列車を運転することができる。
【００４３】
以上のように、本実施形態による運転曲線作成装置１０は、列車を実走させたときに得られる走行実績データに制限を加えて抽出データを抽出し、さらに抽出データから消費エネルギーに基づいて推奨走行実績データを選択する。このような推奨走行実績データは、パラメータの制限を付加しつつ、消費エネルギーを考慮したデータとなる。
【００４４】
一般に、運転曲線は、車両特性（車体重量、編成両数、列車長等）および地理的条件（駅間距離情報、区間位置、区間位置に対応する上限速度、速度制限情報、進行方向に対する勾配情報等）に基づいて所定の運動方程式を解くことによってシミュレーションによって算出される。シミュレーションで作成された運転曲線は、実際の運転には適さない場合がある。また、消費エネルギーをさらに考慮して、省エネ運転曲線を作成するためには、長い時間がかかる。
【００４５】
これに対し、本実施形態による推奨走行実績データは、実走時の走行実績データ（即ち、ＫＰＩ）に基づくので、推奨運転曲線は、実際の走行に則した無理の無い運転曲線となる。また、運転曲線作成装置１０は、多数の走行実績データから抽出および選択した推奨走行実績データから推奨運転曲線を得る。従って、本実施形態によれば、実際の走行に則した省エネな推奨運転曲線を容易にかつ短時間で得ることができる。
【００４６】
（変形例１）
上記実施形態では、選択部４０が抽出データの中から推奨走行実績データを自動で選択している。これに対し、変形例１では、ユーザが抽出データの中から推奨走行実績データを選択してもよい。
【００４７】
この場合、図４のステップＳ３０において、表示部６０が抽出データを表示する。表示部６０は、図５（Ａ）〜図５（Ｄ）に示すように消費エネルギーと関連付けて抽出データを表示する。ユーザインタフェースとしてのキーボード２７またはタッチパネルディスプレイ２８は、ユーザが抽出データから任意の走行実績データを選択可能にしている。ユーザは、キーボード２７またはタッチパネルディスプレイ２８を操作して抽出データの中から推奨走行実績データを選択する。このとき、ユーザは、消費エネルギーを参考にして推奨走行実績データを選択してよい。本変形例のその他の動作は、第１実施形態の動作と同様でよい。
【００４８】
このようにユーザが抽出データから推奨走行実績データを選択しても第１実施形態と同様の効果を得ることができる。
【００４９】
（変形例２）
上記実施形態では、消費エネルギーの実測値をそのまま用いている。これに対し、変形例２では、走行時間を所定時間に合わせた場合に換算される換算消費エネルギーを用いる。その他のパラメータは、実測値でよい。例えば、計画ダイヤにおける第１駅から第２駅までの走行時間が１２０秒とすると、抽出部３０は、走行実績データの走行時間を１２０秒に合わせたときの換算消費エネルギーを算出する。選択部４０は、この換算消費エネルギーを用いて推奨走行実績データを選択する。変形例２のその他の動作は、第１実施形態の動作と同様でよい。
【００５０】
図７（Ａ）および図７（Ｂ）は、換算消費エネルギーの作成方法の一例を示すグラフである。図７（Ａ）の破線Ｌｓは、シミュレーションによって得られる消費エネルギーと走行時間の関係を示す。換算消費エネルギーを作成するために、様々な走行時間における消費エネルギーをシミュレーションで予め算出する。また、図７（Ａ）の多数の点は、それぞれ走行実績データに対応する。これらの走行実績データの中で、走行時間が１２０秒である走行実績データの消費エネルギーはそのまま換算消費エネルギーとして用いる。一方、走行時間が１２０秒からずれている走行実績データの消費エネルギーは、図７（Ｂ）に示すように補正する。例えば、図７（Ｂ）の走行実績データＤ１の消費エネルギーを補正する場合、破線Ｌｓが走行実績データＤ１を通過するように破線Ｌｓを平行移動させる。破線Ｌｓを平行移動させた線をＬｓ１とする。走行時間が１２０秒になるように、走行実績データＤ１を破線Ｌｓ１上で移動させる。即ち、走行実績データＤ１をＬｓに沿って平行移動させる。このように移動させた走行実績データＤ１を換算実績データＤ１ｔとする。換算実績データＤ１ｔの消費エネルギーが換算消費エネルギーとなる。走行時間が１２０秒でない全ての走行実績データに対して同様の補正を行う。これにより、全ての走行実績データの走行時間を１２０秒にしたときの換算消費エネルギーが算出される。これにより、全ての走行実績データが図７（Ａ）の破線Ｌ１２０上に重複する。換算消費エネルギーは、運転曲線作成装置１０の外部のコンピュータで予め算出してもよく、あるいは、抽出部３０において算出してもよい。
【００５１】
変形例２では、このように得られた換算消費エネルギーを図３に示す走行実績データの消費エネルギーに代えて用いる。変形例２のその他の動作は、第１実施形態と同様でよい。従って、制限情報に含まれる消費エネルギーや選択部４０において用いられる消費エネルギーは、換算消費エネルギーとなる。
【００５２】
走行実績データのサンプル数が多い場合には、第１実施形態のように走行実績データの消費エネルギーをそのまま用いても問題ない。しかし、走行実績データのサンプル数が少ない場合、制限情報として走行時間を例えば１２０秒±５秒に制限すると、抽出データに含まれる走行実績データが非常に少なくなり、あるいは、無くなってしまう可能性がある。これに対し、変形例２では、シミュレーションの結果に基づいて、走行時間を所定時間に適合させた換算消費エネルギーを算出しているので、走行実績データのサンプル数が少ない場合であっても、走行実績データが制限情報によって除外されることを抑制できる。従って、走行実績データのサンプル数が少ない場合であっても、選択部４０は、抽出データに含まれる走行実績データを低減させず、比較的多くの走行実績データから推奨走行実績データを選択することができる。
【００５３】
尚、変形例２では、走行時間を所定時間に適合させて、消費エネルギーを換算している。しかし、走行時間以外のパラメータを所定値に適合させて、消費エネルギーを換算してもよい。これにより、走行時間以外のパラメータについても、換算消費エネルギーを算出することができる。
【００５４】
（第２実施形態）
第２実施形態では、抽出部３０は、例えば、第１駅から第２駅までの区間の複数の地点における速度の分散および平均値を算出する。抽出部３０は、この速度の分散が第１所定値以下となる地点を特徴点とする。さらに、抽出部３０は、特徴点における速度とその特徴点における平均値との差が閾値以下である走行実績データを抽出データとして抽出する。第２実施形態の構成およびその他の動作は、第１実施形態の構成および動作と同様でよい。
【００５５】
図８は、第２実施形態による抽出データの抽出方法の一例を示すグラフである。縦軸は、列車の速度を示している。横軸は、第１駅からの列車の距離を示している。０ｍが第１駅に対応し、１６３０ｍが第２駅に対応している。点で構成された線Ｌａｖｇは、複数の走行実績データの平均速度を示している。線Ｌｄ１、Ｌｄ２がそれぞれ速度の分散の上限値と下限値を示している。従って、線Ｌｄ１とＬｄ２との縦方向の幅が速度の分散値となる。
【００５６】
列車の速度は所定の周期でサンプリングされるので、複数の走行実績データにおいてサンプリング時の列車の位置が一致せずにずれる場合がある。例えば、図９は、サンプリング時の列車の位置がずれている場合を示すグラフである。Ｌ１１の走行実績データは、Ｌ１０の走行実績データよりも速度において速い。従って、サンプリング周期が同一であっても、Ｌ１１に対応する列車は、Ｌ１０に対応する列車よりも先の位置を走行している。このような場合、例えば、Ｌ１１において隣接する複数の点を線形補間することによって、Ｌ１１の各サンプリングの位置を補正して、Ｌ１０の各サンプリングの位置に一致させればよい。逆に、Ｌ１０の各サンプリングの位置をＬ１１の各サンプリングの位置に一致させてもよい。図９において、実線の三角がＬ１１の補間前のサンプリング速度であり、破線の三角がＬ１１の補間後（補正後）の速度である。このように、抽出部３０は、複数の走行実績データについて各地点に対応する速度を求めることができる。
【００５７】
図１０は、第２実施形態による運転曲線作成装置の動作の一例を示すフロー図である。
【００５８】
まず、抽出部３０は、第１駅から第２駅までの区間の各地点における速度の分散および平均値を算出する（Ｓ１２）。このとき、図９を参照して説明したように、複数の走行実績データについて、各地点に対応する速度が算出されているので、抽出部３０は、図８に示すように、各地点での速度の分散および平均値を算出することができる。
【００５９】
次に、抽出部３０は、分散が第１所定値Ｄｔｈ以下となる地点を探し、その地点を特徴点とする（Ｓ２２）。例えば、抽出部３０は、分散値（図８のＬｄ１とＬｄ２との間の幅）が第１所定値Ｄｔｈ以下となる地点を探す。図８では、０ｍ〜約２００ｍに含まれる各地点、約８００ｍ〜約１０００ｍに含まれる各地点、並びに、約１４００ｍ〜１６３０ｍに含まれる各地点が特徴点となる。それ以外の地点では、分散値が第１所定値Ｄｔｈよりも大きいので、特徴点とはならない。
【００６０】
次に、抽出部３０は、特徴点の各地点における速度と各地点における平均値Ｌａｖｇとの差（以下、速度差という）を算出する（Ｓ２４）。
【００６１】
次に、抽出部３０は、速度差が閾値以下である走行実績データを抽出データとして抽出する（Ｓ２６）。例えば、抽出部３０は、ステップＳ２４で算出された速度差が予め設定された閾値以下である走行実績データを抽出データとする。
【００６２】
その後、選択部４０や推奨運転曲線作成部５０等の動作は第１実施形態のそれらの動作と同様でよい（図１のＳ３０〜Ｓ５０）。尚、選択部４０は、抽出データから平均値に最も近い走行実績データを推奨走行実績データとして選択してもよい。また、表示部６０は、抽出データの走行実績データを、速度差の小さい順に表示してもよい。これにより、ユーザが任意の走行実績データを推奨走行実績データとして選択することが容易になる。
【００６３】
このように、第２実施形態による運転曲線作成装置１０は、パラメータの分散の比較的小さな走行実績データから推奨走行実績データを選択し、その推奨走行実績データを用いて推奨運転曲線を作成することができる。
【００６４】
パラメータの分散が比較的小さな特徴点では、多くの走行実績データに対応する走行において、運転手は、ほぼ同様の運転を行っていると推測できる。例えば、０ｍ〜約１９０ｍの区間では、ほとんどの走行において、運転手は最大加速のノッチで列車を加速している。約１４００ｍ〜約１６３０ｍの区間では、ほとんどの走行において、運転手は最大減速のノッチで列車を制動している。さらに、約８００ｍ〜約１０００ｍの区間では、多くの走行において、運転手は惰行ノッチ（ノッチオフ）を選択している。このように、特徴点では、多くの走行において、運転手が同様に列車を操作している。
【００６５】
このような特徴点を検出し、その特徴点で走行実績データを抽出することによって、少なくとも特徴点における異常値を排除することができ、特徴点において運転手が適切かつ妥当な運転を行っている走行実績データを抽出データとすることができる。これにより、抽出データから選択された推奨走行実績データは、適切かつ妥当な走行実績データであり、かつ、消費エネルギーについても小さな走行実績データとすることができる。
【００６６】
さらに、第２実施形態は、第１実施形態と同様の効果も得ることができる。上記変形例１、２は、第２実施形態に適用してもよい。
【００６７】
また、第２実施形態は、第１実施形態と組み合わせてもよい。例えば、抽出部３０は、第１実施形態と同様の制限情報を用いて一部の走行実績データを抽出し、この一部の走行実績データについてパラメータの分散および平均値を算出し特徴点を求めてもよい。その後、ステップＳ２４、Ｓ２６、Ｓ３０〜Ｓ５０を実行する。あるいは、逆に、抽出部３０は、走行実績データについてパラメータの分散および平均値を算出し特徴点を求め、その特徴点に対応する走行実績データから制限情報を用いて抽出データを抽出てもよい。その後、ステップＳ３０〜Ｓ５０を実行する。
【００６８】
（変形例３）
第２実施形態では、抽出部３０は、速度の分散および平均値を求め、速度の分散および平均値を用いて特徴点や抽出データを生成している。これに対し、変形例３では、ノッチ番号の分散および平均値を求め、ノッチ番号の分散および平均値を用いて特徴点や抽出データを生成している。
【００６９】
図１１は、変形例３による抽出データの抽出方法の一例を示すグラフである。縦軸は、列車のノッチ番号を示している。横軸は、第１駅からの列車の距離を示している。点で構成された線Ｌａｖｇ１１は、複数の走行実績データの平均ノッチ番号を示している。線Ｌｄ１１、Ｌｄ１２はそれぞれノッチ番号の分散の上限値と下限値を示している。従って、線Ｌｄ１１とＬｄ１２との縦方向の幅がノッチ番号の分散値となる。尚、ノッチ番号についても複数の走行実績データにおいてサンプリング時の列車の位置が一致していない場合、抽出部３０は、線形補間法等を用いて、各地点に対応するノッチ番号を求めればよい。
【００７０】
変形例３による運転曲線作成装置１０の動作フローは、図１０に示すフローを参照すれば容易に理解できるので、その図示を省略する。図１０の「速度」を「ノッチ番号」または「ノッチ」と換言すればよい。
【００７１】
まず、抽出部３０は、第１駅から第２駅までの区間の各地点におけるノッチ番号の分散および平均値を算出する（図１０のＳ１２参照）。
【００７２】
次に、抽出部３０は、分散が第１所定値Ｄｔｈ１１以下となる地点を探し、その地点を特徴点とする（Ｓ２２参照）。例えば、抽出部３０は、分散値（図１１のＬｄ１１とＬｄ１２との間の幅）が第１所定値Ｄｔｈ１１以下となる地点を探す。図１１では、０ｍ〜約８０ｍに含まれる各地点、約２８０ｍ〜約４００ｍに含まれる各地点、約１０５０ｍ〜約１４００ｍに含まれる各地点、並びに、約１６００ｍ〜約１６３０ｍに含まれる各地点が特徴点となる。それ以外の地点では、分散値が第１所定値Ｄｔｈ１１よりも大きいので、特徴点とはならない。
【００７３】
次に、抽出部３０は、特徴点の各地点におけるノッチ番号と各地点におけるノッチ番号の平均値Ｌａｖｇ１１との差（以下、ノッチ差という）を算出する（Ｓ２４参照）。
【００７４】
次に、抽出部３０は、ノッチ差が閾値以下である走行実績データを抽出データとして抽出する（Ｓ２６参照）。例えば、抽出部３０は、ステップＳ２４で算出されたノッチ差が予め設定された閾値以下である走行実績データを抽出データとする。
【００７５】
その後、選択部４０や推奨運転曲線作成部５０等の動作は第２実施形態のそれらの動作と同様でよい。
【００７６】
このように、抽出部３０は、ノッチ番号を用いて特徴点を検出してもよい。これにより、変形例３は、第２実施形態と同様の効果を得ることができる。
【００７７】
尚、速度またはノッチ番号以外のパラメータについても、第２実施形態を適用することができる。この場合、抽出部３０は、そのパラメータの分散および平均値を求め、そのパラメータの分散および平均値を用いて特徴点や抽出データを生成すればよい。
【００７８】
さらに、抽出部３０は、複数のパラメータの特徴点を組み合わせて抽出データを抽出してもよい。例えば、抽出部３０は、第１パラメータの特徴点から閾値を用いて第１抽出データを抽出し、第２パラメータの特徴点から閾値を用いて第２抽出データを抽出する。そして、選択部４０は、第１および第２抽出データの両方に含まれる走行実績データから推奨走行実績データを選択する。あるいは、選択部４０は、第１および第２抽出データのいずれか一方に含まれる走行実績データから推奨走行実績データを選択する。このようにしても、第２実施形態の効果を得ることができる。
【００７９】
（第３実施形態）
第２実施形態では、抽出部３０は、第１駅から第２駅までの区間の複数の「地点」における速度の分散および平均値を算出する。これに対し、第３実施形態による抽出部３０は、第１駅から第２駅までの走行時間の複数の「時点」における速度の分散および平均値を算出する。抽出部３０は、この速度の分散が第１所定値以下となる時点を特徴点とする。さらに、抽出部３０は、特徴点における速度とその特徴点における平均値との差が閾値以下である走行実績データを抽出データとして抽出する。
【００８０】
図１２は、第３実施形態による抽出データの抽出方法の一例を示すグラフである。縦軸は、列車の速度を示している。横軸は、第１駅から第２駅までの列車の走行時点を示している。従って、０秒が第１駅を出発する時点であり、１２０秒が第２駅に到着した時点である。点で構成された線Ｌａｖｇ３０は、複数の走行実績データの平均速度を示している。線Ｌｄ３１、Ｌｄ３２がそれぞれ速度の分散の上限値と下限値を示している。従って、線Ｌｄ３１とＬｄ３２との縦方向の幅が速度の分散値となる。
【００８１】
図１３は、第３実施形態による運転曲線作成装置の動作の一例を示すフロー図である。
【００８２】
まず、抽出部３０は、第１駅から第２駅までの区間の各時点における速度の分散および平均値を算出する（Ｓ１３）。このとき、複数の走行実績データについて、各時点に対応する速度が算出されているので、抽出部３０は、図１２に示すように、各時点での速度の分散および平均値を算出することができる。
【００８３】
次に、抽出部３０は、分散が第１所定値Ｄｔｈ以下となる時点（サンプリング時点）を探し、その時点を特徴点とする（Ｓ２３）。例えば、抽出部３０は、分散値（図１２のＬｄ３１とＬｄ３２との間の縦方向の幅）が第１所定値Ｄｔｈ３０以下となる時点を探す。図１２では、０秒〜約１８秒に含まれる各時点、約６５秒〜約７８秒に含まれる各時点、並びに、約１０５秒〜１２０秒に含まれる各時点が特徴点となる。それ以外の時点では、分散値が第１所定値Ｄｔｈ３０よりも大きいので、特徴点とはならない。
【００８４】
次に、抽出部３０は、特徴点の各時点における速度とその各時点における平均値Ｌａｖｇ３０との差（速度差）を算出する（Ｓ２５）。
【００８５】
次に、抽出部３０は、速度差が閾値以下である走行実績データを抽出データとして抽出する（Ｓ２７）。例えば、抽出部３０は、ステップＳ２４で算出された速度差が予め設定された閾値以下である走行実績データを抽出データとする。
【００８６】
その後、選択部４０や推奨運転曲線作成部５０等の動作は第１実施形態のそれらの動作と同様である（図１のＳ３０〜Ｓ５０）。
【００８７】
このように、第３実施形態による運転曲線作成装置１０は、パラメータの分散の比較的小さな走行実績データから推奨走行実績データを選択し、その推奨走行実績データを用いて推奨運転曲線を作成することができる。
【００８８】
パラメータの分散が比較的小さな特徴点では、多くの走行実績データに対応する走行において、運転手は、ほぼ同様の運転を行っていると推測できる。従って、このような特徴点を検出し、その特徴点で走行実績データを抽出することによって、少なくとも特徴点における異常値を排除することができ、特徴点において運転手が適切かつ妥当な運転を行っている走行実績データを抽出データとすることができる。これにより、抽出データから選択された推奨走行実績データは、適切かつ妥当な走行実績データであり、かつ、消費エネルギーについても小さな走行実績データとすることができる。
【００８９】
さらに、第３実施形態は、第１実施形態と同様の効果も得ることができる。上記変形例１、２は、第３実施形態に適用してもよい。また、第３実施形態は、第２実施形態と同様に、第１実施形態と組み合わせてもよい。
【００９０】
（変形例４）
第３実施形態では、抽出部３０は、速度の分散および平均値を求め、速度の分散および平均値を用いて特徴点や抽出データを生成している。これに対し、変形例４では、各時点での列車の位置の分散および平均値を求め、列車の位置の分散および平均値を用いて特徴点や抽出データを生成している。
【００９１】
図１４は、変形例４による抽出データの抽出方法の一例を示すグラフである。縦軸は、列車の位置を示している。横軸は、第１駅から第２駅までの列車の走行時点を示している。点で構成された線Ｌａｖｇ４０は、複数の走行実績データの平均位置を示している。線Ｌｄ４１、Ｌｄ４２はそれぞれ位置の分散の上限値と下限値を示している。従って、線Ｌｄ４１とＬｄ４２との縦方向の幅が位置の分散値となる。
【００９２】
変形例４による運転曲線作成装置１０の動作フローは、図１３に示すフローを参照すれば容易に理解できるので、その図示を省略する。図１３の「速度」を「列車の位置」と換言すればよい。
【００９３】
まず、抽出部３０は、第１駅から第２駅までの区間の各時点における列車の位置の分散および平均値を算出する（図１３のＳ１３参照）。
【００９４】
次に、抽出部３０は、分散が第１所定値Ｄｔｈ４０以下となる時点（サンプリング時点）を探し、その時点を特徴点とする（Ｓ２３参照）。例えば、抽出部３０は、分散値（図１４のＬｄ４１とＬｄ４２との間の幅）が第１所定値Ｄｔｈ４０以下となる時点を探す。図１４では、０秒〜約２５秒に含まれる各時点、約６５秒〜約７５秒に含まれる各時点、並びに、約１０５秒〜約１２０秒に含まれる各時点が特徴点となる。それ以外の時点では、分散値が第１所定値Ｄｔｈ４０よりも大きいので、特徴点とはならない。
【００９５】
次に、抽出部３０は、特徴点の各時点における列車の位置と各時点における平均値Ｌａｖｇ４０との差（以下、位置差という）を算出する（Ｓ２５参照）。
【００９６】
次に、抽出部３０は、位置差が閾値以下である走行実績データを抽出データとして抽出する（Ｓ２７参照）。例えば、抽出部３０は、ステップＳ２５で算出された位置差が予め設定された閾値以下である走行実績データを抽出データとする。
【００９７】
その後、選択部４０や推奨運転曲線作成部５０等の動作は第３実施形態のそれらの動作と同様でよい。
【００９８】
このように、抽出部３０は、列車の位置を用いて特徴点を検出してもよい。これにより、変形例４は、第３実施形態と同様の効果を得ることができる。
【００９９】
尚、速度または列車の位置以外のパラメータについても、第３実施形態を適用することができる。この場合、抽出部３０は、そのパラメータの分散および平均値を求め、そのパラメータの分散を用いて特徴点を検出すればよい。
【０１００】
さらに、抽出部３０は、変形例３と同様に、複数のパラメータの特徴点を組み合わせて抽出データを抽出してもよい。
【０１０１】
（第４実施形態）
上記実施形態において、選択部４０は、消費エネルギーに基づいて抽出データから複数の走行実績データを選択し、これらの複数の走行実績データを特徴点でつなぎ合わせることによって１つの補正走行実績データを作成する。推奨運転曲線作成部５０は、この補正走行実績データを用いて推奨運転曲線を作成する。
【０１０２】
図１５は、第４実施形態による抽出データの抽出方法の一例を示すグラフである。縦軸は、列車の位置を示している。横軸は、第１駅から第２駅までの列車の走行時点を示している。選択部４０は、抽出データの中から消費エネルギーが低くかつ特徴点で交差する複数の走行実績データを選択する。Ｌ５１、Ｌ５２は、選択部４０において抽出データから選択された２つの走行実績データ（第１走行実績データ、第２走行実績データ）を示している。尚、選択部４０は、消費エネルギーに基づいて、交差する３つ以上の走行実績データを選択してもよい。
【０１０３】
ここで、８００ｍ〜１０００ｍの範囲の地点が特徴点であるとする。特徴点は、第３実施形態で説明したように分散を用いて検出すればよい。特徴点においては、分散が比較的小さいので、抽出データの中には、等しい速度を有する複数の走行実績データがある場合がある。選択部４０は、第１および第２走行実績データＬ５１、Ｌ５２のように交差する複数の走行実績データを選択する。第１および第２走行実績データＬ５１、Ｌ５２のように交差する特徴点をＣとすると、第１および第２走行実績データＬ５１、Ｌ５２は、それぞれ特徴点Ｃにおいて２つのデータ部分に分離することができる。例えば、第１走行実績データＬ５１は、特徴点Ｃより前のデータ部分Ｌ５１ａと、特徴点Ｃ以降のデータ部分Ｌ５１ｂとに分けることができる。第２走行実績データＬ５２は、特徴点Ｃより前のデータ部分Ｌ５２ａと、特徴点Ｃ以降のデータ部分Ｌ５２ｂとに分けることができる。
【０１０４】
選択部４０は、データ部分Ｌ５１ａとデータ部分Ｌ５２ｂとを結合し、あるいは、データ部分Ｌ５２ａとデータ部分Ｌ５１ｂとを結合して１つの補正走行実績データを生成する。例えば、第１および第２走行実績データＬ５１、Ｌ５２の消費エネルギーは低いものの、走行時間において所定時間（例えば、１２０秒）から大きくずれているものとする。この場合、選択部４０は、上記のようにデータ部分を結合して走行時間が所定時間（例えば、１２０秒）に近い補正走行実績データを生成することができる。
【０１０５】
推奨運転曲線作成部５０は、補正走行実績データを用いて推奨運転曲線を作成する。これにより、推奨運転曲線作成部５０は、消費エネルギーを考慮しつつ、走行時間が所定時間に近い推奨運転曲線を得ることができる。
【０１０６】
尚、上記制限情報および／または特徴点は、走行実績データを用いて生成した後、シミュレーションで運転曲線を作成する際に制約として用いてもよい。このとき、運転曲線は、既存のシミュレーションで作成してよい。例えば、運転曲線は、コンピュータを用いて特許文献１に記載された方法で算出してもよい。
【０１０７】
本実施形態による運転曲線作成装置１０におけるデータ処理方法の少なくとも一部は、ハードウェアで構成してもよいし、ソフトウェアで構成してもよい。ソフトウェアで構成する場合には、データ処理方法の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。また、データ処理方法の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０９】
１０  運転曲線作成装置、２０  入力部、３０  抽出部、４０  選択部、５０  推奨運転曲線作成部、６０  表示部、７０  記憶部、２１  ＭＰＵ、２２  ＲＯＭ、２３  ＲＡＭ、２４  記憶装置、２７  キーボード、２８  ディスプレイ
【図１】
2018144592.tif 000003
【図２】
2018144592.tif 000004
【図３】
2018144592.tif 000005
【図４】
2018144592.tif 000006
【図５】
2018144592.tif 000007
【図６】
2018144592.tif 000008
【図７】
2018144592.tif 000009
【図８】
2018144592.tif 000010
【図９】
2018144592.tif 000011
【図１０】
2018144592.tif 000012
【図１１】
2018144592.tif 000013
【図１２】
2018144592.tif 000014
【図１３】
2018144592.tif 000015
【図１４】
2018144592.tif 000016
【図１５】
2018144592.tif 000017